(57)【要約】【課題】正規のキーコードを有しないキーの半挿入によって、誤解錠が発生することがないディスクタンブラ型錠装置を提供する。【解決手段】サイドタンブラ格納孔１２をディスクタンブラ格納孔４に交差させてロータ２に設け、固定外筒１の内周面にサイドタンブラ係脱溝１３を設け、サイドタンブラ１１の基端部１４が係脱する制止溝１５をキー８の腹部に形成し、サイドタンブラ係脱溝１３の内側稜線部１３ａに押される従動カム斜面１７をサイドタンブラ１１の先端部に形成してあり、キー８がロータ２のキーウェイ３に所定深さまで挿入されたとき、キー８の制止溝１５がサイドタンブラ１１の基端部１４に対面した待機位置に来ており、キー８でロータ２を回したとき、サイドタンブラ１１がロータ２の中心方向に移動し、サイドタンブラ１１の先端部がロータ２の外周面以下に退没する。【選択図】図１
2007046353.tif 000002
【特許請求の範囲】
【請求項１】
固定外筒１にロータ２を軸方向に移動不能に収容し、ロータ２の軸方向のキーウェイ３に交差するようにディスクタンブラ格納孔４をロータ２の直径方向に設け、固定外筒１の内周面にディスクタンブラ係脱溝６を設け、ディスクタンブラ格納孔４に移動可能に格納したディスクタンブラ５をディスクタンブラ係脱溝６に先端部が係合するようにバネ７によって移動付勢し、キー８のエッジ部に凹凸形成したキーコード部９を、ディスクタンブラ６のキー通し孔１０の縁面１０ａに当接させて、ディスクタンブラ５の先端部をディスクタンブラ係脱溝６から脱出させるようにしたディスクタンブラ錠装置において、
サイドタンブラ１１が移動可能に格納されるサイドタンブラ格納孔１２をディスクタンブラ格納孔４に交差させてロータ２に設け、固定外筒１の内周面にサイドタンブラ１１の先端部が係脱するサイドタンブラ係脱溝１３を設け、サイドタンブラ１１の基端部１４が係脱する制止溝１５をキー８の腹部に形成し、バネ部材１６によってサイドタンブラ１１を固定外筒１の内周面に向かって移動付勢し、サイドタンブラ係脱溝１３の内側稜線部１３ａに押される従動カム斜面１７をサイドタンブラ１１の先端部に形成してあり、
キー８がロータ２のキーウェイ３に所定深さまで適正に挿入されたとき、キー８の制止溝１５がサイドタンブラ１１の基端部１４に対面した待機位置に来ており、当該待機位置においてキー８でロータ２を回したとき、サイドタンブラ係脱溝１３の内側稜線部１３ａで従動カム斜面１７を押されたサイドタンブラ１１が、ロータ２の中心方向に移動し、サイドタンブラ１１の先端部がロータ２の外周面以下に退没するようにしたことを特徴とするディスクタンブラ型シリンダ錠装置。
【発明の詳細な説明】
【技術分野】
【０００１】
本発明は、正規のキーコードを有しない異別のキーの半挿入によって誤解錠となることがないようにしたディスクタンブラ型シリンダ錠装置に関するものである。
【背景技術】
【０００２】
従来のディスクタンブラ型シリンダ錠装置は、固定外筒にロータを軸方向に移動不能に収容し、ロータの軸方向のキーウェイに交差するようにディスクタンブラ格納孔をロータの直径方向に設け、ディスクタンブラ格納孔に移動可能に格納したディスクタンブラを、固定外筒の内周面のディスクタンブラ係脱溝に先端部が係合するようにバネによって移動付勢し、キーのエッジ部に凹凸形成したキーコード部を、ディスクタンブラのキー通し孔の縁面に当接させて、ディスクタンブラの先端部をタンブラ係脱溝から脱出させてディスクタンブラの全体をタンブラ格納孔に退没させるようになっている。
【０００３】
このシリンダ錠装置では、キーコード部の先端とキー中心軸線との間の距離の大小、別の言い方をするとキーコード部の高低によって１個のキーコード情報が設定され、複数のディスクタンブラのそれぞれについて設定されたキーコード情報の組み合わせによって１本のキーの属性が決定される。１つの属性のキーは特定の１つの錠装置にしか適用できない。ロータの直径と軸方向長さ、ディスクタンブラの枚数と配置間隔を特定したとき、属性の相異なるキーを何本作ることができるかが、いわゆる鍵違い数であり、可能な限り多数の同一種の機器等を最終的には１本のマスタキーで管理できるようにするために、鍵違い数の多い錠装置がユーザーによって望まれている。
【０００４】
鍵違い数の増大を図るために錠装置のメーカーでは、キーコード部の高低差を設定する基準単位を短く決める傾向にあり、現在では０．５ｍｍ以下という極限の数値まで最小化されている。このような状況に加えてディスクタンブラの組み込み枚数に制約のある中で鍵違い数を増やそうとすると、キーコード部の高低差が前記最小化された基準単位で１つしか違わないか、高低差の同じキーコード部が、キーの長さ方向にいくつも隣接していたり、あるいは１つ又は二つ置いた隣にいくつも存在しているケースが現れてくる。
【０００５】
通常、キーによってロータを施錠位置に回転させた後、ロータのキーウェイからキーを抜き取ると、ディスクタンブラの先端部がロータのタンブラ格納孔から突出して固定外筒のタンブラ係脱溝に係合することによって、ロータは回転を制止され、施錠位置に保持されるのであるが、前記ケースにおいては、キーを僅かに引き出した状態でも、ディスクタンブラがロータ側に退没して解錠状態となる組み合わせがいくつも発生することがある。固定外筒の内周面とロータの外周面間の製作公差によるギャップが、長期使用による摩耗によって拡大することによって、このような傾向はさらに助長される。
【０００６】
そのような場合、通常通りキーを施錠位置に回転させてから抜き取ったことによって施錠が確かに成立したものと誤認した操作者は、そのまま立ち去ってしまうのであるが、実際においては、ロータはディスクタンブラによって固定外筒に対して錠止されていないのであるから、ロータは回転可能であり、ロータに連結された止め金板と固定枠体側の受金とのせり合い係合による反力、あるいは操作者の抜き取るときの手の動きによって、ロータが施錠位置から逆戻り回転させられることがあり、これによってその錠装置が装着されている機器は無施錠状態に放置されることになり、セキュリティの確保上致命的な事態となる。
【０００７】
このような施錠成立の誤認問題に対する対策としては、一対のキーパータンブラが格納されるキーパータンブラ格納孔をロータの直径方向に設け、固定外筒の内周面にキーパータンブラの先端部が係脱するキーパータンブラ係脱溝を設け、対向配置した一対のキーパータンブラをバネによって逆方向に移動付勢し、キーのエッジ部に形成したキーパーキーコード部をキーパータンブラのキー通し孔の縁面ａに当接させて、キーパータンブラの先端部をキーパータンブラ係脱溝から脱出させるようにしたディスクタンブラ型シリンダ錠装置が既に提案されている（特許文献１参照）。
【０００８】
この施錠成立の誤認問題とは別に、前記のようにキーコード部の高低差が前記最小化された基準単位で１つしか違わないか、高低差の同じキーコード部がキーの長さ方向にいくつも隣接していたり、あるいは１つ又は二つ置いた隣にいくつも存在している異別のキーを、錠装置のロータにある段階まで挿入したとき、全てのディスクタンブラがロータ側に退没してシャーラインが揃い、固定外筒に対するロータの拘束が解除されて、ロータを解錠方向に回すことが可能となってしまう問題、すなわち、正規のキーコードを有しない異別のキーの半挿入による誤解錠の問題がある。
【０００９】
【特許文献１】特開２００２-４７８３４号公報
【発明の開示】
【発明が解決しようとする課題】
【００１０】
本発明の課題は、上記した正規のキーコードを有しない異別のキーの半挿入による誤解錠の問題を解決することにある。
【課題を解決するための手段】
【００１１】
本発明の主たる特徴は、固定外筒１にロータ２を軸方向に移動不能に収容し、ロータ２の軸方向のキーウェイ３に交差するようにディスクタンブラ格納孔４をロータ２の直径方向に設け、固定外筒１の内周面にディスクタンブラ係脱溝６を設け、ディスクタンブラ格納孔４に移動可能に格納したディスクタンブラ５をディスクタンブラ係脱溝６に先端部が係合するようにバネ７によって移動付勢し、キー８のエッジ部に凹凸形成したキーコード部９を、ディスクタンブラ６のキー通し孔１０の縁面１０ａに当接させて、ディスクタンブラ５の先端部をディスクタンブラ係脱溝６から脱出させるようにしたディスクタンブラ錠装置において、
サイドタンブラ１１が移動可能に格納されるサイドタンブラ格納孔１２をディスクタンブラ格納孔４に交差させてロータ２に設け、固定外筒１の内周面にサイドタンブラ１１の先端部が係脱するサイドタンブラ係脱溝１３を設け、サイドタンブラ１１の基端部１４が係脱する制止溝１５をキー８の腹部に形成し、バネ部材１６によってサイドタンブラ１１を固定外筒１の内周面に向かって移動付勢し、サイドタンブラ係脱溝１３の内側稜線部１３ａに押される従動カム斜面１７をサイドタンブラ１１の先端部に形成してあり、
キー８がロータ２のキーウェイ３に所定深さまで適正に挿入されたとき、キー８の制止溝１５がサイドタンブラ１１の基端部１４に対面した待機位置に来ており、当該待機位置においてキー８でロータ２を回したとき、サイドタンブラ係脱溝１３の内側稜線部１３ａで従動カム斜面１７を押されたサイドタンブラ１１が、ロータ２の中心方向に移動し、サイドタンブラ１１の先端部がロータ２の外周面以下に退没するようにしたことである。
【発明の効果】
【００１２】
本発明のシリンダ錠装置では、キー８がロータ２のキーウェイ３に所定深さまで適正に挿入されたとき、キー８の制止溝１５がサイドタンブラ１１の基端部１４に対面した待機位置に来ており、当該待機位置においてキー８でロータ２を回したとき、サイドタンブラ係脱溝１３の内側稜線部１３ａが従動カム斜面１７を押すことによって、サイドタンブラ１１がバネ部材１６の付勢に抗してロータ２の中心方向に移動し、固定外筒１のサイドタンブラ係脱溝１３から押し出されたサイドタンブラ１１の先端部が、ロータ２の外周面以下に退没して、固定外筒１に対するロータ２の拘束が解除され、ロータ２を解錠方向に回すことが可能となる。
【００１３】
他方、キーコード自体は正規のキー８に近似したものとなっているが、制止溝１５を所定位置に正確に形成していない異別のキーをロータ２のキーウェイ３に挿入してロータ２を回そうとしたとき、従動カム斜面１７ｇをサイドタンブラ係脱溝１３の内側稜線部１３ａに押されたサイドタンブラ１１は、基端部１４において当該異別キーの腹部に押し付けられるだけであり、サイドタンブラ１１の先端部が固定外筒１のサイドタンブラ係脱溝１３から押し出されることがなく、前記したキーコードの近似性によって仮に全てのディスクタンブラ５がロータ２の外周面以下に退没させられていても、固定外筒１に対するロータ２の回転拘束は依然として有効に維持されている。
よって、正規のキーコードを有しない異別のキーの半挿入による誤解錠の問題が本発明によって解決された。
【００１４】
サイドタンブラ１１はキーコード形成要素ともなっているので、サイドタンブラ１１の組み込み枚数、サイドタンブラ１１の配置位置を変えることによって、鍵違いの数を更に増加されることができる。
また、バネ部材１６によってサイドタンブラ１１を常に突出方向に移動付勢しているため、キー８の抜き差し時におけるサイドタンブラ１１と制止溝１５等との引掛かりを防止し、円滑な作動を可能にする。
【発明を実施するための最良の形態】
【００１５】
前記固定外筒１、ロータ２、ディスクタンブラ５、サイドタンブラ１１、バネ部材１６などの各構成部品を金属材料やエンジニアリングプラスチックで製作すれば、使用中の機械的な打撃や歪曲変形に対して強くなる。
【実施例】
【００１６】
図示の実施例では、サイドタンブラ１１は本来のディスクタンブラ５と重なり合ってＴ字状をなすように配置されている。サイドタンブラ格納孔１２は、ロータ２の軸線方向に沿って前後に隣り合う２つのディスクタンブラ格納孔４、４の間の仕切り壁部に形成されている。サイドタンブラ１１は正面視茸状の板材で構成され、サイドタンブラ１１の先端部片側は少し大きく張り出してバネ受けアーム部１８を構成している。バネ部材１６は圧縮コイルバネで構成され、前記仕切り壁部のポケット部１９に挿入され、バネ受けアーム部１８に当接している。
【００１７】
キー８の腹面部に形成した制止溝１５は、底面が湾曲面に形成された円弧状溝に構成されており、サイドタンブラ１１の基端部１４も基端面が円弧状に形成されている。
サイドタンブラ１１はキーウェイ３を挟んで一対に設けられ、キー８の制止溝１５も両側のの腹面部に設けられている。
【図面の簡単な説明】
【００１８】
【図１】本発明の一実施例に係るディスクタンブラ型シリンダ錠装置の要部横断面図である。
【図２】図１のシリンダ錠装置に組み合わせて使用されるキーの左側面図である。
【図３】図２に示したキーの平面図である。
【図４】図１のシリンダ錠装置に組み込んだロータの左側面図である。
【図５】図４のロータの中央縦断面図である。
【符号の説明】
【００１９】
１    固定外筒
２    ロータ
３    キーウェイ
４    ディスクタンブラ格納孔
５    ディスクタンブラ
６    ディスクタンブラ係脱溝
７    ディスクタンブラ付勢用バネ
８    キー
９    キーコード部
１０    キー通し孔
１０ａ  キー通し孔の縁面
１１    サイドタンブラ
１２    サイドタンブラ格納孔
１３    サイドタンブラ係脱溝
１３ａ  サイドタンブラ係脱溝の内側稜線部
１４    サイドタンブラの基端部
１５    制止溝
１６    サイドタンブラ付勢用バネ部材
１７    サイドタンブラの従動カム斜面
１８    サイドタンブラのバネ受けアーム部
１９    ロータのバネ部材用ポケット部
【図１】
2007046353.tif 000003
【図２】
2007046353.tif 000004
【図３】
2007046353.tif 000005
【図４】
2007046353.tif 000006
【図５】
2007046353.tif 000007